【事件の表示】
　特願２０１０−　８３９３２「吐出ポンプ」拒絶査定不服審判事件〔平成２３年１０月２７日出願公開、特開２０１１−２１３３８９〕について、次のとおり審決する。
【結　論】
　本件審判の請求は、成り立たない。
【理　由】
１．手続の経緯 
　本件出願は、平成２２年３月３１日の出願であって、平成２６年５月７日付けで拒絶査定がされた。これに対し、同年８月１１日に本件審判の請求がなされ、同時に手続補正がなされ、平成２７年５月２０日付けで拒絶理由が通知され、同年７月１０日に意見書が提出されたものである。
　
２．当審で通知した拒絶理由
　当審で通知した平成２７年５月２０日付け拒絶理由の概要は以下のとおりである。
１）本件出願の下記の請求項１〜５に係る発明は、その出願前日本国内または外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。 
２）本件出願は、明細書、特許請求の範囲及び図面の記載が下記の点で不備のため、特許法第３６条第６項第２号及び第４項第１号に規定する要件を満たしていない。  
 　　　　　　　　　　　　　　　　記  
（２９条）  
引用刊行物一覧  
１．特開平１０−２４９５４号公報 
２．特開昭５４−５２０９号公報  
３．実願昭５２−１５７７９３号（実開昭５４−８３８０２号）のマイクロフィルム  
４．特開平９−１２０５０号公報 
５．実願平４−７２４９７号（実開平６−３００６５号）のＣＤ−ＲＯＭ  
 　  
請求項１に係る発明に対し 　　引用刊行物１、２、３ 
　（略）
請求項２に係る発明に対し　引用刊行物１、２、３、４ 
　（略）
請求項３に係る発明に対し　引用刊行物１、２、３ 
　（略） 　 
請求項４に係る発明に対し　引用刊行物１、２、３、５ 
　（略）
　
 （３６条）  
 イ．請求項１の「コイル線の端面」の示す内容が不明である。（略）
 ロ．請求項１の「軸方向外側」の示す内容が不明である。また、発明の詳細な説明（例えば段落【００２７】等）の「軸方向外側」の示す内容が不明である。（略） 
 ハ．請求項１の「前記コイル線のうち、前記屈曲部が形成され、かつ前記コイルスプリングの軸方向端部を構成する端部分は、他の部分と同様に、このコイル線の巻き方向に沿って延在している」の示す内容が不明である。また、発明の詳細な説明には、請求項１の「前記コイル線のうち、前記屈曲部が形成され、かつ前記コイルスプリングの軸方向端部を構成する端部分は、他の部分と同様に、このコイル線の巻き方向に沿って延在している」に関する説明が、明確には記載されていない。（略）　  
　
３．本願発明
　本願の請求項１に係る発明（以下「本願発明」という。）は、平成２６年８月１１日付け手続補正書により補正された特許請求の範囲の請求項１に記載された事項により特定される以下のとおりのものと認められる。
　
「筒状のシリンダと、
　該シリンダの内側に配置されて該シリンダの内周面に液密に摺接されたピストンと、
　前記シリンダの内側に収納されて前記ピストンを上方に付勢するコイルスプリングと、
　前記ピストンに連係されていると共に、前記シリンダの上方に上方付勢状態で押下可能に突出されたステムと、
　該ステムの上端部に装着されていると共に該ステムに連通するノズルを有する押下ヘッドと、
　を備えた吐出ポンプにおいて、
　前記コイルスプリングの上端部及び下端部のうちの少なくとも一方に、該コイルスプリングを形成するコイル線が折り曲げられて形成された屈曲部が設けられ、該屈曲部が、前記コイル線の端面よりも軸方向外側に突出して、前記シリンダ内に配置されて前記コイルスプリングの軸方向端部を係止するスプリング係止部に当接されており、
　前記屈曲部は、前記コイル線の端面の手前部分を山形状に折り曲げることで、軸方向外側に凸となるように膨出させた膨出部であり、
　前記コイル線のうち、前記屈曲部が形成され、かつ前記コイルスプリングの軸方向端部を構成する端部分は、他の部分と同様に、このコイル線の巻き方向に沿って延在していることを特徴とする吐出ポンプ。」
　
４．引用刊行物の記載事項及び引用発明
（１）本願出願前に頒布され、当審で通知した拒絶理由において引用された特開平１０−２４９５４号公報（以下「引用刊行物１」という。）には、以下が記載されている。 
（ア）「【請求項１】容器体２０の口頚部２１に嵌合させる装着筒３により下端を容器体内に垂下した状態で固定させるシリンダ２と、該シリンダ内に摺動可能に嵌合させた環状ピストン２８を下端に連携させて上端をシリンダ上方へ上下動可能に突出させたステム２９と、該ステム上端に嵌着させたノズル３０付き押し下げヘッド３１と、上記環状ピストン２８，ステム２９，押し下げヘッド３１とで構成される作動部材５を常時上方へ付勢させるコイルスプンリグ６とを備え、上記作動部材５の上下動により装着した容器体内の液を吸い上げてノズル３０より噴出する如く構成するとともに、コイルスプンリグ６の上方付勢力に抗して押し下げた作動部材をシリンダ内上端部に螺着係止可能に構成した液体噴出ポンプに於いて、上記コイルスプンリグ６を作動部材５の螺着回動方向と逆巻きに構成したことを特徴とする液体噴出ポンプ。」（【特許請求の範囲】）
（イ）「【０００１】
【発明の属する技術分野】本発明は液体噴出ポンプに関する。」（段落【０００１】）
（ウ）「【０００４】
【発明が解決しようとする課題】従来の此の様なポンプ於いて、作動部材の螺着は一般に右螺子（時計回りに回動螺着させる）に構成しており、また、コイルスプリングも右巻きのもの（上部基端から時計回りに回動下降する螺旋状に形成したもの）が使用されている。従って、作動部材を螺着係止させる際に、コイルスプリングの上端面が回動方向と逆方向に向き、コイルスプリングの上端係止部分或いは下端係止部分の作動部材或いはシリンダ等を損傷するという不都合を生じる場合がある。
【０００５】本発明はこの様な点を考慮して、作動部材の螺着に際して、コイルスプリングによるその上下端当接部位の損傷の可能性を極力無くし、しかも、簡単な構造の変更でこの様な効果を発揮できる優れた液体噴出ポンプを提案するものである。」（段落【０００４】〜【０００５】）
（エ）「【０００６】
【課題を解決するための手段】本請求項１発明のポンプは上記課題を解決するため、容器体２０の口頚部２１に嵌合させる装着筒３により下端を容器体内に垂下した状態で固定させるシリンダ２と、該シリンダ内に摺動可能に嵌合させた環状ピストン２８を下端に連携させて上端をシリンダ上方へ上下動可能に突出させたステム２９と、該ステム上端に嵌着させたノズル３０付き押し下げヘッド３１と、上記環状ピストン２８，ステム２９，押し下げヘッド３１とで構成される作動部材５を常時上方へ付勢させるコイルスプンリグ６とを備え、上記作動部材５の上下動により装着した容器体内の液を吸い上げてノズル３０より噴出する如く構成するとともに、コイルスプンリグ６の上方付勢力に抗して押し下げた作動部材をシリンダ内上端部に螺着係止可能に構成した液体噴出ポンプに於いて、上記コイルスプンリグ６を作動部材５の螺着回動方向と逆巻きに構成したことを特徴とする液体噴出ポンプとして構成した。
【０００７】
【発明の実施の形態】以下、本発明の実施例の形態を図面を参照して説明する。図面は本発明の一実施例を示し、本発明ポンプ１は、シリンダ２と、装着筒３と、係止部材４と、作動部材５と、コイルスプンリグ６とを備えている。
【０００８】シリンダ２は、上下端を開口した筒状で、外周上部よりフランジ７を突設し、下端部は縮径してパイプ嵌合様の嵌合筒部８に構成し、該筒部内に上端を嵌着させたパイプ９を容器体内下端部に垂下させる。・・・」（段落【０００６】〜【０００８】）
（オ）「【００１２】作動部材５は環状ピストン２８と、ステム２９と、ノズル３０付き押し下げヘッド３１とを備えている。環状ピストン２８はエラストマー等の比較的柔軟で弾力性に富む材質により形成されたもので、本実施例では断面Ｈ状をなし、シリンダ２内面に外周縁の円弧板状部上下端を摺動可能に嵌合させている。
【００１３】また、ステム２９は、シリンダ内と連通してその中の液をその上方の押し下げヘッド３１に導入させるための導管で、上下端を開口した筒状をなし、その下端部を、ピストン２８内周縁の筒部外側面上部に嵌着固定させ、上端を上記案内筒２５上方に突出させて上下動可能に装着している。また、ステム２９内上部には、弁座３２及び玉状弁体３３とからなる吐出弁３４を設けている。
【００１４】押し下げヘッド３１はステム２９より導入された液を前端のノズル３０より噴出するとともに、押し下げて内部のポンプ機構を作動させるためのもので、上記ステム２９外周上端に下端を嵌合させた縦筒３５を頂壁３６裏面より垂設するとともに、縦筒３５上部と基端を連通させてノズル３０を前方へ突出して構成している。また、縦筒３５の下部外周には上記案内筒２５内面の螺条ａと螺合する螺条ｂを周設し、作動部材５を押し下げた状態で螺着係止可能に構成している。本実施例では各螺条を右螺子に構成し、即ち、作動部材５を時計回りに回動することにより螺着する如く構成している。
【００１５】コイルスプンリグ６は金属等により形成され、上記作動部材５を常時上方へ付勢させるためのもので、上記棒状部材１４のフランジ１６上面と、環状ピストン２８の下面との間に介在させている。本発明では、このコイルスプンリグ６を作動部材５の螺着回動方向と逆巻きに構成したものを使用する。即ち、作動部材５の螺着回動方向は上記した右回りであるため、図３に示す如き左巻きのものを使用する。左巻きとは、その上端から時計回りと反対方向に回動下降する螺旋状に形成したもので、本実施例では、上端部及び下端部を２巻程度密に構成している。
【００１６】この様なコイルスプンリグ６を設けることにより、作動部材を係止部材４に螺着係止させる際、環状ピストン２８下面はコイルスプンリグ６の端面の向きと同方向に回動するため、端面が引っ掛かる等の不都合を生じない様に構成している。尚、作動部材５の係止状態から螺脱する際には回動方向に向かって端面が位置するが、ピストン２８は順次回動上昇するため、端面が引っ掛かる等の不都合は生じない。
【００１７】上記の如く構成したポンプ１は、容器体２０に装着して使用するが、図１に示す如き状態からヘッド３１を押し下げると、シリンダ２内の液が加圧されて吐出弁３４が開き、ノズル３０より外部に噴出する。また、ヘッド３１の押圧を解除するコイルスプンリグ６の弾発力により作動部材５が上昇し、シリンダ２内が負圧するため、吐出弁３４が閉じ、吸い込み弁１２が開いて容器体内の液がパイプ９を介してシリンダ２内に導入される。
【００１８】尚、本実施例では、作動部材５が最上昇位置にある場合に、環状ピストン２８内周縁の筒部上端縁が棒状部材１４の棒状部１８上端外周に周設した突条下面に密接シールされ、また、作動部材５の押し下げ係止状態では、図２に示す如く、環状ピストンの上記筒部下端面が棒状部材１４の筒部頂板上面に密接シールされる如く構成している。・・・」（段落【００１２】〜【００１８】）
（カ）上記（ア）の「・・・該シリンダ内に摺動可能に嵌合させた環状ピストン２８を下端に連携させて上端をシリンダ上方へ上下動可能に突出させたステム２９と、・・・」の記載及び上記（エ)の「・・・該シリンダ内に摺動可能に嵌合させた環状ピストン２８を下端に連携させて上端をシリンダ上方へ上下動可能に突出させたステム２９と、・・・」の記載より、ステム２９は、環状ピストン２８を下端に連携させて上端をシリンダ２上方へ上下動可能に突出させているといえる。
（キ）上記（ア）の「・・・該シリンダ内に摺動可能に嵌合させた環状ピストン２８を下端に連携させて上端をシリンダ上方へ上下動可能に突出させたステム２９と、該ステム上端に嵌着させたノズル３０付き押し下げヘッド３１と、・・・」の記載及び上記(オ)の「・・・また、ステム２９は、シリンダ内と連通してその中の液をその上方の押し下げヘッド３１に導入させるための導管で、上下端を開口した筒状をなし、その下端部を、ピストン２８内周縁の筒部外側面上部に嵌着固定させ、上端を上記案内筒２５上方に突出させて上下動可能に装着している。・・・」の記載より、ステム２９は、液をその上方の押し下げヘッド３１に導入させる導管であるから、ステム２９とノズル３０付き押し下げヘッドとは連通しているといえる。
（ク）図１及び図２には、環状ピストン２８がシリンダ２の内側に配置されている点及びコイルスプリング６がシリンダ２の内側に収納されている点が示されている。
　
　引用刊行物１には、上記記載事項及び図示事項より、コイルスプリング６の上下端当接部位の損傷を防止することを技術的課題として、以下の発明（以下「引用発明」という。）が記載されている。（なお、引用刊行物１の「コイルスプンリグ６」の記載は、「コイルスプリング６」の明らかな誤記であるので、以下「コイルスプリング６」と読み替える。） 
　
「筒状のシリンダ２と、
　該シリンダ２の内側に配置されて該シリンダ２内面に摺動可能に嵌合させた環状ピストン２８と、　
　前記シリンダ２の内側に収納されて上記環状ピストン２８、ステム２９、押し下げヘッド３１とで構成される作動部材５を常時上方へ付勢させるコイルスプリング６と、　
　前記環状ピストン２８を下端に連携させて上端を前記シリンダ２上方へ上下動可能に突出させたステム２９と、
　該ステム２９上端に嵌着させかつ該ステム２９に連通するノズル３０付き押し下げヘッド３１と、
を備えた液体噴出ポンプにおいて、
　前記コイルスプリング６を前記作動部材５の螺着回動方向と逆巻きに構成した、液体噴出ポンプ。」
　
（２）本願出願前に頒布され、当審において通知した拒絶理由において引用された特開昭５４−５２０９号公報（以下「引用刊行物２」という。）には、以下の事項が記載されている。 
（ケ）「エヤゾール・手動式噴射装置の一構成部であるコイルスプリングで、該コイルスプリングでの上下捲回端にこれらを受け止めする受部面に前記コイルスプリングの切断切口が接触しない任意の方向の方向性を付与して受部面を切削したりせず、屑片を生じないようにしたことを特徴とする各種エヤゾール・手動式噴射装置のバネ部材。」（「特許請求の範囲」）
（コ）「本発明は殺虫・化粧・塗装あるいはライター用ガスボンベ等家庭内で使用される噴霧器のバネ部材に関するものである。
　バネ部材、即ちコイルスプリングは弁底に下端を受止められて装着され、その上端で押下管等の下端を受止め当該押下管等を上下復動可能に支持するものである。押下管に堅く嵌合される噴射釦を何んらかの都合で回動するときコイルスプリングは上下始端．終端に鋭利な切断切口をもつていて、受部面において捲回方向に放置されているから弁底あるいは押下管等の下端面の受部面に切削キズをつくり、その削られたゴミが弁オリフイスを塞ぎ噴射能力を無効にすることを良く経験するものである。本発明は上記の点に鑑み液化ガス使用の噴霧器、手動噴霧器を問わず。これらの欠点を防止できるパネ部材を提供することを目的とする。
　以下本発明について液化ガスを使用した噴射装置の一つの実施例について説明すれば、（１）は弁筒、（２）は密封ガスケツト、（４）は容器の上端開口部を密閉するマウンテンキヤツプ（３）の脚部、（５）は液導管（６）は押下管で前記ガスケツト（２）を貫き上端に噴射釦（図示せず）を堅く嵌合固定し、又前記ガスケツト（２）に開閉される弁オリフイス（７）をもち、下端を弁筒（１）内に装着したコイルスプリング（８）の上端に受け止められる。コイルスプリング（８）は上下の捲回端部の切断切口（９）（１０）を捲回方向からずれるような方向性をもつて形成する。第１図においてこの方向性は折曲部（１１）（１２）によつてもたらされ切断切口（９）（１０）を軸心に向けて上向．下向傾斜状態に形成されている。・・・第２図は押下管（６）の下端面に嵌挿突部（１５）を設けそれにコイルスプリング（８）の上端部を嵌挿している。・・・このような切断切口の方向性は実施図面に限定することなく切断切口が受部面に切削状態つくらないことを防止するためにその受部の構造、取付状態に対応して変形実施が行われる。」（第１頁左下欄第１３行〜第２頁右上欄第８行）
（サ）「本発明は以上のように噴射装置の一構成部品であるコイルスプリングはその上下端に捲回方向からずれる任意の方向性を付与して、受部面に切断切口を接触しないようにしたから噴射釦を何んらかの都合で回動することがあつても切削クズを形成したりせず、又これによつてもたらされる欠点を確実にかつ簡単に防止する大きな特徴をもつものである。」（第２頁左下欄第２行〜９行）
　
５．対比・判断
 本願発明と引用発明とを対比する。
 引用発明の「液体噴出ポンプ」は本願発明の「吐出ポンプ」に相当し、同様に、「シリンダ２」は「シリンダ」に、「環状ピストン２８」は「ピストン」に、「コイルスプリング６」は「コイルスプリング」に、「ステム２９」は「ステム」に、「ノズル３０」は「ノズル」に、「押し下げヘッド３１」は「押下ヘッド」に、それぞれ相当する。
 
　引用発明においても、シリンダ２とピストン２８とは摺動によりポンプの機能を奏するものであるので、シリンダ２とピストン２８とは、液密に接するようになっていることは、自明であるから、引用発明の「該シリンダ２の内側に配置されて該シリンダ２内面に摺動可能に嵌合させた環状ピストン２８」は、本願発明の「該シリンダの内側に配置されて該シリンダの内周面に液密に摺接されたピストン」に相当する。
　
　また、引用発明の「前記シリンダ２の内側に収納されて上記環状ピストン２８、ステム２９、押し下げヘッド３１とで構成される作動部材５を常時上方へ付勢させるコイルスプリング６」は、本願発明の「前記シリンダの内側に収納されて前記ピストンを上方に付勢するコイルスプリング」の要件を満たす。
　
　また、引用発明においても、ステム２９は、環状ピストン２８とともに、コイルスプリング６により常時上方に付勢されているから、引用発明の「前記環状ピストン２８を下端に連携させて上端を前記シリンダ２上方へ上下動可能に突出させたステム２９」は、本願発明の「前記ピストンに連係されていると共に、前記シリンダの上方に上方付勢状態で押下可能に突出されたステム」に相当する。
　
　また、引用発明の「該ステム２９上端に嵌着させかつ該ステム２９に連通するノズル３０付き押し下げヘッド３１」は、本願発明の「該ステムの上端部に装着されていると共に該ステムに連通するノズルを有する押下ヘッド」に相当する。
　
　そうすると、本願発明と引用発明とは、以下の点で一致する。 
「筒状のシリンダと、
　該シリンダの内側に配置されて該シリンダの内周面に液密に摺接されたピストンと、
　前記シリンダの内側に収納されて前記ピストンを上方に付勢するコイルスプリングと、
　前記ピストンに連係されていると共に、前記シリンダの上方に上方付勢状態で押下可能に突出されたステムと、
　該ステムの上端部に装着されていると共に該ステムに連通するノズルを有する押下ヘッドと、
　を備えた吐出ポンプ。」
　
　そして、本願発明と、引用発明とは、以下の点で相違する。 
 　 
 （相違点）本願発明では、「コイルスプリングの上端部及び下端部のうちの少なくとも一方に、該コイルスプリングを形成するコイル線が折り曲げられて形成された屈曲部が設けられ、該屈曲部が、前記コイル線の端面よりも軸方向外側に突出して、前記シリンダ内に配置されて前記コイルスプリングの軸方向端部を係止するスプリング係止部に当接されており、前記屈曲部は、前記コイル線の端面の手前部分を山形状に折り曲げることで、軸方向外側に凸となるように膨出させた膨出部であり、前記コイル線のうち、前記屈曲部が形成され、かつ前記コイルスプリングの軸方向端部を構成する端部分は、他の部分と同様に、このコイル線の巻き方向に沿って延在している」のに対して、引用発明では、コイルスプリングの上端部又は下端部に屈曲部が設けられておらず、コイルスプリング６を前記作動部材５の螺着回動方向と逆巻きに構成した点。 
 　 
　相違点を検討する。
　相違点に掲げた本願発明の構成が有する技術的意義は、本願の明細書の段落【０００５】〜【０００７】、【０００９】、【００１３】、【００２６】、【００２７】、【００４３】、【００４６】〜【００４８】の記載からみて、「押下ヘッドの回転操作に伴いスプリング係止部がコイルスプリングのコイル線の端面により削られることを防止する」ことであると解される。
　そして、相違点に掲げた本願発明の構成のうち、「該屈曲部が、前記コイル線の端面よりも軸方向外側に突出して、前記シリンダ内に配置されて前記コイルスプリングの軸方向端部を係止するスプリング係止部に当接されており、前記屈曲部は、前記コイル線の端面の手前部分を山形状に折り曲げることで、軸方向外側に凸となるように膨出させた膨出部であり、前記コイル線のうち、前記屈曲部が形成され、かつ前記コイルスプリングの軸方向端部を構成する端部分は、他の部分と同様に、このコイル線の巻き方向に沿って延在している」ことは、例えば、上記段落【００４７】に「本発明における屈曲部の折り曲げ形状は適宜変更可能であり、たとえばコイル線５０を円弧状あるいはＵ字状に折り曲げて屈曲部を形成してもよい。」と記載されていることを踏まえると、本願発明が上記技術的意義を有するための、コイルスプリングの具体的な一構造を特定したにすぎないものというべきである。
　一方、コイルスプリングを形成するコイル線の両端に折曲部（１１）（１２）を形成し、回動時に両端部で接触する部材に切削キズ等の損傷が発生しないようにする技術が、引用刊行物２に記載されている（上記（ケ）、（コ）、（サ）、第１図〜第３図参照）。引用刊行物２に記載された技術と引用発明とは、コイルスプリングの端部による損傷の防止という技術的課題が共通するので、引用刊行物２に記載された技術を、引用発明の「コイルスプリング６を前記作動部材５の螺着回動方向と逆巻きに構成した」ことに代えて、または、付加することは、当業者が容易に想到し得たことである。
　その際に、コイル線に形成される折曲部（屈曲部）の折り曲げ方向や切断切口（端部分）が存在する方向をどの方向にするかは、引用刊行物２の（コ）に「・・・このような切断切口の方向性は実施図面に限定することなく切断切口が受部面に切削状態つくらないことを防止するためにその受部の構造、取付状態に対応して変形実施が行われる。」と示唆されているように、上記技術課題の解決を阻害しないことを前提に、引用発明のコイルスプリングの端部が収納される部分の構造や取付構造に合わせることは、当業者が当然考慮すべき事項にすぎない。
　また、周知の一般的なコイルスプリングの食い付き（コイルスプリングの端部がその当接面を損傷する）現象を防止する具体的構造として、「コイル線に形成される折曲部（屈曲部）がそのコイル線の端面よりもコイルの巻き軸方向の外側に突出した凸となる構造」は、例えば、当審の拒絶の理由に引用した実願昭５２−１５７７９３号（実開昭５４−８３８０２号）のマイクロフィルム（以下「引用刊行物３」という。）にも記載されている（明細書の第５頁第１３行〜１５行、第６頁第５行〜１２行の記載、及び、第３図に記載された、スリーブ３に接する、コイルスプリング１５の端部に、コイルスプリング１５の巻き軸方向の外側に向けて突出した凸形状となるように設けられた角部１７及び折り曲げ部１６を参照。）ように本願の出願前に周知の構造であり、何ら格別な構造ではない。
　したがって、引用刊行物２に記載された技術を、引用発明の「コイルスプリング６を作動部材５の螺着回動方向と逆巻きに構成した」ことに代えて、または、付加して、上記相違点に掲げた本願発明の構成とすることは、当業者が容易になし得たことである。　
　
　また、本願発明の作用効果も、引用発明、引用刊行物２に記載された技術及び引用刊行物３に例示された周知技術から、当業者が予測し得た程度であって、格別ではない。 
　したがって、本願発明は、引用発明、引用刊行物２に記載された技術及び引用刊行物３に例示された周知技術に基づいて、当業者が容易に想到し得たものである。 
 　  
　請求人は、発明の詳細な説明の段落の記載をもとに、本願発明の技術的意義について、「引用刊行物２、３に記載の発明では、コイル線の端面の手前部分に屈曲部を形成することで、コイル線のうち、コイルスプリングの軸方向端部を構成する端部分の全体を、他の部分における巻き方向である周方向と異なる方向に向けて延在させている。引用刊行物１〜５のいずれにも、本願発明のような、「前記屈曲部は、前記コイル線の端面の手前部分を山形状に折り曲げることで、軸方向外側に凸となるように膨出させた膨出部であり、前記コイル線のうち、前記屈曲部が形成され、かつ前記コイルスプリングの軸方向端部を構成する端部分は、他の部分と同様に、このコイル線の巻き方向に沿って延在している」構成については、記載はおろか示唆すらされていない。したがって、引用刊行物１〜５に記載の発明をいかに組み合わせたとしても、本願発明のように、使用するコイル線の長さが長くなるのを抑えることができるとともに、コイル線の端部分が他の部材と干渉するのを防ぐことができ、さらに、コイルスプリングのかさ張りを抑えつつ、コイル線の端部分のなかで、屈曲部だけをスプリング係止部に当接させることを容易かつ確実に実現することができるといった作用効果を奏する発明が得られることはない。」旨、主張する（平成２７年７月１０日付け意見書の７．）。
 
　しかし、上記相違点の判断で述べたように、「コイルスプリングの軸方向端部を構成する端部分は、他の部分と同様に、このコイル線の巻き方向に沿って延在している」ようにすることは、当業者が容易に想到する事項であり、その効果も当業者が予測できたものであって格別でないから、請求人の主張は採用できない。
 
６．むすび 
　本願発明は、引用発明、引用刊行物２に記載された事項及び引用刊行物３に例示された周知技術に基づいて、当業者が容易に発明をすることができたものであるから、特許法第２９条第２項の規定により特許を受けることができない。
　よって、本願は拒絶されるべきものであるから、他の請求項に係る発明について検討するまでもなく、結論のとおり審決する。